(57)【特許請求の範囲】
【請求項１】
一般家庭などに設置されたバルク貯槽へ供給するＬＰガスを充填するＬＰガスタンクを走行車両に搭載するとともに、ＬＰガスの充填用の緊急遮断弁及び供給するための液用の緊急遮断弁とガス用の緊急遮断弁とを前記ＬＰガスタンクに付設した民生バルクローリにおいて、前記充填用の緊急遮断弁と前記ガス用の緊急遮断弁とを前記ＬＰガスタンクの後部鏡板部に設け、前記各緊急遮断弁から配管接続される弁計器類を収納する弁計器箱を車両後部に設け、該弁計器箱の開閉扉を走行車両の背面部に付設し、前記液用の緊急遮断弁からの配管に接続された供給用のホース及び該供給用のホースを巻回している液用のホースリールを前記弁計器箱に収納し、前記ＬＰガスタンクから前記バルク貯槽へＬＰガスを供給するときに、前記開閉扉を開けて前記液用ホースリールから前記供給用のホースを引き出して前記バルク貯槽に接続し、前記弁計器箱の運転席とは反対側の側面部に側面扉を設け、前記充填用の緊急遮断弁からの配管が接続する受入口及び前記ガス用の緊急遮断弁からの配管が接続するガス接続口を前記弁計器箱の前記側扉の近傍に設け、前記ＬＰガスタンクにＬＰガスを充填するときに、前記側扉を開けて基地側にある充填用ホースを前記受入口に、ガス用ホースを前記ガス接続口に、それぞれ接続することを特徴とする民生バルクローリ。
【発明の詳細な説明】
【０００１】
【発明の属する技術分野】
本発明は、一般家庭などに設置したバルク貯槽に主に路上駐車でＬＰガスを供給するバルクローリに関する。
【０００２】
【従来の技術】
近年、ガスボンベによる液化ガスの供給形態から、容量の大きい設置型のバルク貯槽を供給地に備えてタンクローリによって直接充填する供給形態が一般家庭でも普及してきており、特に一般家庭等に供給する輸送車を民生バルクローリと称している。
【０００３】
民生バルクローリは、図４に示すように、走行車両４の車台にＬＰガスタンク１を搭載し、基地においてＬＰガスタンク１にＬＰガスを充填するための受入口や需要者に設置されたバルク貯槽へ供給するための液送ポンプおよび供給ホースなどを装備している。
【０００４】
図５は民生バルクローリの配管系統を示す代表的な図であり、ＬＰガスタンク１のほぼ中央下部には、ガス用の緊急遮断弁２１、充填用の緊急遮断弁２２および供給用の緊急遮断弁２３が設けられ、バルク貯槽への供給および基地でＬＰガスタンク１へ充填するための配管が接続されている。
【０００５】
供給用の緊急遮断弁２３からの配管３１には液送ポンプ２４が設けられ、その吐出側は配管３２により流量計２５を介してホースリール２６へ接続されている。そして、ＬＰガスはホースリール２６の液ホースをバルク貯槽へ接続して供給される。
【０００６】
また、ガス用の緊急遮断弁２１からの配管３３は、ガス用のホースリール２７に接続されており、バルク貯槽へのＬＰガスの供給時にはバルク貯槽に接続され、ＬＰガスタンクとバルク貯槽の圧力（ガス）を均等にするようにしている。
各緊急遮断弁２１、２２、２３から配管接続される弁計器類は運転席と反対側の車体側面に取り付けられた弁計器箱２に収納され、また、ＬＰガスの供給用のホースリール２６およびガス用のホースリール２７はＬＰガスタンク１の前方に設けたホースリール箱３に収納している（図４参照）。
【０００７】
なお、民生バルクローリは民家の近くにおいて主に路上駐車でＬＰガスの供給を行うため、ガス漏れや衝突などを配慮して種々の安全装置が付設されている。
【０００８】
【発明が解決しようとする課題】
上記のように、民生バルクローリは、弁計器箱２およびホースリール箱３を運転席の反対側の車体側面に配置し、バルク貯槽へＬＰガスの供給作業を行う場合は他の車両などの交通の妨げにならないように、可能な限り道路の左側に寄せて駐車し、運転席の反対側の車体の側面で作業するようにしている。また、基地においてＬＰガスタンク１にＬＰガスを充填する場合は、運転席と反対側の車体側面に設けた受入口に充填ホースを接続している。
【０００９】
したがって、路上駐車でのＬＰガスの供給作業では作業スペースが小さく、作業がやりにくいという問題がある。また、民生バルクローリには、かなり長い供給ホースを装備しているが、道幅の狭い路上に駐車せざるを得ない場合も少なくなく、作業が困難である場合も生じている。
【００１０】
そこで、本発明は、バルク貯槽へＬＰガスを供給する場合に道路の左側一杯に寄せて駐車しても供給作業のできる民生バルクローリを提供することを目的とするものである。
【００１１】
【課題を解決するための手段】
上記の目的を達成するため、本発明では次の手段を採った。即ち、一般家庭などに設置されたバルク貯槽へ供給するＬＰガスを充填するＬＰガスタンクを走行車両に搭載するとともに、ＬＰガスの充填用の緊急遮断弁及び供給するための液用の緊急遮断弁とガス用の緊急遮断弁とを前記ＬＰガスタンクに付設した民生バルクローリにおいて、前記充填用の緊急遮断弁と前記ガス用の緊急遮断弁とを前記ＬＰガスタンクの後部鏡板部に設け、前記各緊急遮断弁から配管接続される弁計器類を収納する弁計器箱を車両後部に設け、該弁計器箱の開閉扉を走行車両の背面部に付設し、前記液用の緊急遮断弁からの配管に接続された供給用のホース及び該供給用のホースを巻回している液用のホースリールを前記弁計器箱に収納し、前記ＬＰガスタンクから前記バルク貯槽へＬＰガスを供給するときに、前記開閉扉を開けて前記液用ホースリールから前記供給用のホースを引き出して前記バルク貯槽に接続し、前記弁計器箱の運転席とは反対側の側面部に側面扉を設け、前記充填用の緊急遮断弁からの配管が接続する受入口及び前記ガス用の緊急遮断弁からの配管が接続するガス接続口を前記弁計器箱の前記側扉の近傍に設け、前記ＬＰガスタンクにＬＰガスを充填するときに、前記側扉を開けて基地側にある充填用ホースを前記受入口に、ガス用ホースを前記ガス接続口に、それぞれ接続することを特徴としている。
【００１２】
本発明は、ＬＰガスを基地で充填し、一般家庭などのバルク貯槽へ主に路上駐車で供給作業が行われる民生バルクローリに適用される。
【００１３】
ＬＰガスタンクには充填用の緊急遮断弁およびガス用の緊急遮断弁の他に、バルク貯槽へＬＰガスを供給するときに使用するための供給用の緊急遮断弁が付設されているが、これについては後部鏡板に付設してもよいし、従来と同じくＬＰガスタンクの中央底部に付設してもよい。
【００１４】
バルク貯槽へＬＰガスを液送ポンプによって供給している場合には、通常、液送ポンプの動力を走行車両のエンジンのＰＴＯ（パワーテイクオフ）から得ているので、供給用の緊急遮断弁は液送ポンプが吸込み不良を起こさないようにＬＰガスタンクの下部に設けるのが望ましい。また、コンプレッサを搭載してＬＰガスタンク内のガスの圧力を高くすることによってバルク貯槽へＬＰガス（液）を供給している場合には、前記のような問題がないので、供給用の緊急遮断弁も後部鏡板に付設すればよい。
【００１５】
また、基地でＬＰガスを充填するときの受入口は、運転席と反対側の後部側面である弁計器箱の側面部に設け、弁計器箱に側扉を設けるのがよい。
【００１６】
【発明の実施の形態】
以下、本発明の民生バルクローリの実施形態例を図１ないし図３に基づいて説明する。図４および図５に示した各部と共通する部分については、同一の符号を付し、その説明を省略する。
【００１７】
民生バルクローリは図１および図２に示すように、走行車両４にＬＰガスタンク１０が搭載され、その後部に弁計器箱１１が設けられている。
弁計器箱１１には、緊急遮断弁や液送ポンプ２４からの弁類の外、供給用ホースリールおよびガス用ホースリールも収納されており、開閉扉１５は図２に示すように走行車両の背部に設けられている。また、弁計器箱１１の運転席と反対側の側面部には基地でＬＰガスを充填するときに使用する受入口が設けられており、側面扉１２が設けられている。なお、６は液送ポンプおよびこれの駆動装置を覆うカバーである。
【００１８】
この民生バルクローリの配管系統は図３に示すように基本的な構成は従来例の図５と同様である。
即ち、ＬＰガスタンク１０のほぼ中央底部には、供給用の緊急遮断弁２３が設けられ、後部鏡板１０ａにはガス用の緊急遮断弁２１および充填用の緊急遮断弁２２が設けられている。そして、これら緊急遮断弁２１、２２、２３からバルク貯槽への供給および基地でＬＰガスタンク１０へ充填するための弁計器類がそれぞれ配管で接続されている。
【００１９】
供給用の緊急遮断弁２３からの配管３１にはＬＰガスタンク１０のＬＰガスを取り出す液送ポンプ２４が設けられ、その吐出側は配管３２により弁計器箱１１内へ引き回され、流量計２５を介してホースリール２６へ接続されている。液送ポンプ２４の動力は、走行車両のエンジンのＰＴＯから得ており推進軸によって接続されている。なお、ＬＰガスはホースリール２６の液ホースをバルク貯槽へ接続して供給される。
【００２０】
また、ガス用の緊急遮断弁２１からの配管３３は、弁計器箱箱１１の側扉１２の近傍に設けたガス接続口３６に接続され、さらに、この配管３３の途中から分岐した配管３７からガス用のホースリール２７に接続されており、バルク貯槽へのＬＰガスの供給時にはバルク貯槽に接続され、ＬＰガスタンク１０とバルク貯槽の圧力（ガス）を均等にしている。
【００２１】
充填用の緊急遮断弁２２からの配管３４は、上記配管３３と同じく弁計器箱箱１１の側扉１２の近傍に設けた受入口３５に接続されている。ＬＰガスタンク１０の後部の弁計器箱１１には、これら、液送ポンプ２４からの弁計器類、ガス用緊急遮断弁２１および充填用緊急遮断弁２２からの弁計器類、ホースリール２６、２７が収納されている。
【００２２】
このように構成されているので、基地でＬＰガスをＬＰガスタンク１０に充填するときは、弁計器箱１１の側扉１２を開けて基地側にある充填用ホースを受入口３５に接続し、ガス用ホースをガス接続口３６に接続する。
また、一般家庭のバルク貯槽へＬＰガスを供給するときは、バルク貯槽に近い適当な路上に左側一杯に駐車し、背面部の弁計器箱１１の開閉扉１５を開けて供給用のホースとガス用のホースをホースリール２６、２７から引き出し、バルク貯槽に接続する。
【００２３】
【発明の効果】
以上説明したように、本発明の民生バルクローリは、充填用の緊急遮断弁およびガス用の緊急遮断弁をＬＰガスタンクの後部鏡板部に設け、各緊急遮断弁からの弁計器類を収納する弁計器箱を車両後部に設け、該弁計器箱の開閉扉を走行車両の背面部に付設したので、バルク貯槽への供給作業を十分スペースのある民生バルクローリの後方で行うことができ、作業がやり易い。また、左側一杯に路上駐車できるので、他の車両の交通の邪魔になることが少なくなる。さらに、狭い道路でも、バルク貯槽への供給作業が容易にできる。
【図面の簡単な説明】
【図１】本発明の一実施形態としての民生バルクローリの全体の構成を示す側面図である。
【図２】同背面図である。
【図３】同民生バルクローリの配管系統図である。
【図４】従来の民生バルクローリの全体構成を示す側面図である。
【図５】従来の民生バルクローリの配管系統図である。
【符号の説明】
１…ＬＰガスタンク            ２…弁計器箱
３…ホースリール箱            ４…走行車両
５…マンホール                ６…カバー
１０…ＬＰガスタンク          １０ａ…後部鏡板
１１…弁計器箱                １２…側扉
１５…開閉扉
２１…緊急遮断弁（ガス用）    ２２…緊急遮断弁（充填用）
２３…緊急遮断弁（供給用）
２４…液送ポンプ              ２５…流量計
２６…液用ホースリール        ２７…ガス用ホースリール
３１、３２、３３、３４…配管  ３５…受入口
３６…ガス接続口              ３７…配管
【図１】
0004380870.tif 000002
【図２】
0004380870.tif 000003
【図３】
0004380870.tif 000004
【図４】
0004380870.tif 000005
【図５】
0004380870.tif 000006